Podtech/llm-jp-corpus-v4-ja_patent huggingface dataset:
【手続補正書】
【提出日】平成23年1月12日(2011.1.12)
【手続補正１】
【補正対象書類名】特許請求の範囲
【補正対象項目名】全文
【補正方法】変更
【補正の内容】
【特許請求の範囲】
【請求項１】
治療的に有効な量の式：
【化１】
2010516677.tif 000001
を有する化合物、安定化に十分な量の一つ以上の抗酸化剤、および任意に一つ以上の医薬的に許容される賦形剤を含む固形の投与形態にある医薬組成物。
【請求項２】
医薬組成物が湿気の存在下で実質的に安定である、請求項１に記載の組成物。
【請求項３】
医薬組成物が熱の存在下で実質的に安定である、請求項１または２に記載の組成物。
【請求項４】
上記化合物の治療的に有効な量が約25 mg 〜 約500 mg である、請求項１〜３のいずれか一つに記載の組成物。
【請求項５】
一つ以上の抗酸化剤の安定化に十分な量が、上記の組成物の全重量の約0.001%〜約50%である、請求項１〜４のいずれか一つに記載の組成物。
【請求項６】
一つ以上の抗酸化剤が、ブチル化されたヒドロキシアニソール、ブチル化されたヒドロキシトルエン、アスコルビン酸、アスコルビルパルミテート、プロピルガレート、ドデシルガレート、エチルガレート、オクチルガレート、α−トコフェロール、アスコルビン酸ナトリウム、メタ重亜硫酸ナトリウム、フマル酸およびリンゴ酸からなる群から選択される、請求項１〜５のいずれか一つに記載の組成物。
【請求項７】
一つ以上の抗酸化剤がブチル化されたヒドロキシトルエンである、請求項１〜６のいずれか一つに記載の組成物。
【請求項８】
医薬組成物が一つ以上の医薬的に許容される賦形剤を含む、請求項１〜７のいずれか一つに記載の組成物。
【請求項９】
一つ以上の医薬的に許容される賦形剤が、微結晶性セルロース、澱粉、ヒドロキシプロピルセルロース、澱粉グリコール酸ナトリウム、イソプロピルアルコール、ステアリン酸マグネシウムおよびこれらの組合せからなる群から選択される、請求項１〜８のいずれか一つに記載の組成物。
【請求項１０】
組成物が経口投与される、請求項１〜９のいずれか一つに記載の組成物。
【請求項１１】
固形投与形態が高密度のポリエチレン(HDPE)ボトル中に調剤されている、請求項１〜１０のいずれか一つに記載の組成物。
【請求項１２】
固形投与形態が錠剤である、請求項１〜１１のいずれか一つに記載の組成物。
【請求項１３】
固形投与形態が単位投与パッケージ中に調剤されている、請求項１〜１２のいずれか一つに記載の組成物。
【請求項１４】
単位投与パッケージがブリスターパックである、請求項１３に記載の組成物。
【請求項１５】
抗菌剤、癌化学療法剤または抗ウィルス剤の使用に関連した疾患、感染症および／またはその他の症状の治療または予防用医薬を製造するための、式：
【化２】
2010516677.tif 000002
を有する化合物の使用。
【請求項１６】
疾患、感染症および／またはその他の症状が、次の：C. ディフィシル関連の下痢(CDAD)、大腸炎、偽膜性大腸炎、抗菌剤関連性下痢、およびC. ディフィシル、C.ペルフリンゲンス、スタフィロコッカス種もしくはエンテロコッカスによる感染症、クロストリジウム腸炎、新生児の下痢、抗菌剤関連性腸炎、散発性の腸炎、病院内腸炎、大腸炎膜、感染性の下痢および過敏性の腸シンドロームから選択される請求項１５に記載の使用。
【請求項１７】
疾患、感染症および／またはその他の症状が、C. ディフィシルに伴う下痢(CDAD)である、請求項１５に記載の使用。
【請求項１８】
治療的に有効な量の式：
【化３】
2010516677.tif 000003
を有する化合物、組成物の全重量の約0.001%〜約5%のブチル化されたヒドロキシトルエン、および任意に一つ以上の微結晶性セルロース、澱粉、ヒドロキシプロピルセルロース、澱粉グリコール酸ナトリウムおよびステアリン酸マグネシウムを含む、医薬組成物。
【手続補正書】
【提出日】平成22年12月14日(2010.12.14)
【手続補正１】
【補正対象書類名】特許請求の範囲
【補正対象項目名】全文
【補正方法】変更
【補正の内容】
【特許請求の範囲】
【請求項１】
複合体であって、
（ａ）１つ以上の治療薬部分の複製、または二官能性治療薬部分に化学選択的に連結可能であるか、若しくは治療薬部分と非共有的に複合化できる官能基を含み、且つ、デキストラン、ポリグルタミン酸、およびデンドリマーから成る群より選択される官能化ポリマーと、
（ｂ）（ｉ）１つまたは２つのＨＳＧまたはＤＴＰＡハプテン分子を含有するペプチド、（ｉｉ）葉酸、（ｉｉｉ）ソマトスタチン、（ｉｖ）ＶＩＰ、（ｖ）ビオチン、（ｖｉ）アンチセンスオリゴヌクレオチド、および（ｖｉｉ）ＡＤペプチドから成る群より選択され、ポリマー分子各々に１から１０の認識構造部分が付着しているポリマー分子と、
を含む、複合体。
【請求項２】
前記治療薬部分は、化学療法薬、ビンカアルカロイド、アントラサイクリン、エピポドフィロトキシン、タキサン、代謝拮抗剤、アルキル化剤、抗生物質、Ｃｏｘ−２阻害剤、抗有糸分裂剤、抗血管形成活性剤、アポトーシス促進剤、ドキソルビシン、メトトレキサート、タキソール、カンプトテシン、ナイトロジェンマスタード、スルホン酸アルキル、ニトロソウレア、トリアゼン、葉酸類似体、ピリミジン類似体、プリン類似体、白金配位複合体、ホルモン、毒素、リシン、アブリン、リボヌクレアーゼ（ＲＮａｓｅ）、ＤＮａｓｅ  Ｉ、ブドウ球菌エンテロトキシン−Ａ、ヤマゴボウ抗菌タンパク質、ゲロニン、ジフテリア毒素、緑膿菌外毒素、および緑膿菌内毒素から成る群より選択される、請求項１に記載の複合体。
【請求項３】
前記官能基は、１つ以上のアセチレン（またはアジド）、ヒドラジド、シクロデキストリン、ビニルスルホン、マレイミド、チオール、ブロモアセトアミド、ヨードアセトアミド、イソチオシアネート、および活性カルボキシル基より選択される、請求項１に記載の複合体。
【請求項４】
前記官能基はアセチレンまたはアジドであり、連結は、アジドまたはアセチレンで誘導体化された薬剤を用いて行われる、請求項３に記載の複合体。
【請求項５】
前記官能基はシクロデキストリンであり、前記治療薬部分は、非共有ホスト―ゲスト複合化によって連結される、請求項３に記載の複合体。
【請求項６】
前記認識部分は、ＤＮＬ方法の「ＡＤ」ペプチドであり、前記ＤＮＬアセンブリは、前記ポリマーへの薬剤または治療薬部分の付着前または後のいずれかに行われる、請求項１に記載の複合体。
【請求項７】
前記薬剤を前記ポリマーに連結するスペーサは、細胞内で開裂可能な結合を含有し、前記開裂可能な結合はヒドラゾン、カテプシン−Ｂ−開裂可能ペプチド、ジスルフィド、およびエステラーゼによって開裂可能なエステル結合から成る群より選択される、請求項１に記載の複合体。
【請求項８】
前記認識部分は、二重または多特異性抗体のアームのうちの１つに特異的であり、前記抗体の１つ以上の他のアームは、ムリン化、キメラ化、霊長類化、ヒト化、またはヒト単クローン抗体に由来する疾病標的ＭＡｂであり、前記抗体は、無傷フラグメント（Ｆａｂ、Ｆａｂ′、Ｆ（ａｂ）２、Ｆ（ａｂ′）２）、またはサブフラグメント（一本鎖組成物）形態である、請求項１に記載の複合体。
【請求項９】
前記多特異性ＭＡｂは、ＬＬ１、ＬＬ２、ｈＡ２０、１Ｆ５、Ｌ２４３、ＲＳ７、ＰＡＭ−４、ＭＮ−１４、ＭＮ−１５、Ｍｕ−９、Ｌ１９、Ｇ２５０、Ｊ５９１、ＣＣ４９、およびＩｍｍｕ３１から成る群より選択される、１つ以上の抗体を含む、二重特異性および／または二価抗体組成物である、請求項８に記載の複合体。
【請求項１０】
前記Ｍａｂは、癌または悪性細胞、感染性生物、自己免疫疾病、心血管疾病、または神経疾病に関連する抗原または抗原のエピトープと反応する、請求項９に記載の複合体。
【請求項１１】
前記癌細胞は、造血性腫瘍、癌腫、肉腫、黒色腫、またはグリア腫瘍に由来する細胞である、請求項１０に記載の複合体。
【請求項１２】
前記ＭＡｂは、Ｂ−細胞系統抗原、Ｔ−細胞抗原、骨髄系統抗原またはＨＬＡ−ＤＲ抗原に結合する、請求項９に記載の複合体。
【請求項１３】
前記感染性生物は、バクテリア、ウィルス、真菌、微生物、または寄生生物である、請求項１０に記載の複合体。
【請求項１４】
前記自己免疫疾病は、免疫媒介性血小板減少、皮膚筋炎、シェーグレン症候群、多発性硬化症、シデナム舞踏病、重症筋無力症、全身性エリテマトーデス、ループス腎炎、リウマチ熱、関節リウマチ、多腺性症候群、水疱性類天疱瘡、糖尿病、ヘノッホ−シェーンライン紫斑病、レンサ球菌感染後の腎炎、結節性紅斑、高安動脈炎、アジソン病、関節リウマチ、サルコイドーシス、潰瘍性大腸炎、多型性紅斑、ＩｇＡ腎症、結節性多発性動脈炎、強直性脊椎炎、グッドパスチュア症候群、閉塞性血栓血管炎、原発性胆汁性肝硬変、橋本甲状腺炎、甲状腺亢進、強皮症、慢性活動性肝炎、多発性筋炎／皮膚筋炎、胆汁過多、尋常性天疱瘡、ヴェグナー肉芽腫症、膜性腎症、筋萎縮性側索硬化症、脊髄癆、巨大細胞動脈炎／多筋痛、悪性貧血、急速進行性糸球体腎炎、線維化性肺胞炎、および若年性糖尿病から成る群より選択される、請求項１０に記載の複合体。
【請求項１５】
前記疾病標的抗体は、ＣＤ７４、ＣＤ２２、上皮糖タンパク質−１、癌胎児性抗原（ＣＥＡまたはＣＤ６６ｅ）、大腸特異的抗原−ｐ、α−フェトプロテイン、ＣＣ４９、前立腺特異的膜抗原、炭酸脱水酵素ＩＸ、ＨＥＲ−２／ｎｅｕ、ＥＧＦＲ（ＥｒｂＢ１）、ＥｒｂＢ２、ＥｒｂＢ３、ＩＬＧＦ、ＢｒＥ３、ＣＤ１９、ＣＤ２０、ＣＤ２１、ＣＤ２３、ＣＤ３３、ＣＤ４５、ＣＤ７４、ＣＤ８０、ＶＥＧＦ、ＥＤ−Ｂフィブロネクチン、ＰｌＧＦ、他の腫瘍血管形成抗原、ＭＵＣ１、ＭＵＣ２、ＭＵＣ３、ＭＵＣ４、ガングリオシド、ＨＣＧ、ＥＧＰ−２、ＣＤ３７、ＨＬＡ−ＤＲ、ＣＤ３０、Ｉａ、Ａ３、Ａ３３、Ｅｐ−ＣＡＭ、ＫＳ−Ｉ、Ｌｅ（ｙ）、Ｓ１００、ＰＳＡ、テネイシン、葉酸受容体、トーマス−フリードリッヒ抗原、腫瘍壊死抗原、Ｇａ７３３、ＩＬ−２、ＩＬ−６、Ｔ１０１、ＭＡＧＥ、遊走阻止因子（ＭＩＦ）、Ｌ２４３によって結合される抗原、ＰＡＭ４によって結合される抗原、ＣＤ６６ａ（ＢＧＰ）、ＣＤ６６ｂ（ＣＧＭ６）、６６ＣＤｃ（ＮＣＡ）、６６ＣＤｄ（ＣＧＭ１）、ＴＡＣおよびそれらの組み合わせから成る群より選択される抗原に結合する、請求項１０に記載の複合体。
【請求項１６】
前記抗体は、ＬＬ１、ＬＬ２、ＲＦＢ４、ｈＡ２０、１Ｆ５、Ｌ２４３、ＲＳ７、ＰＡＭ−４、ＭＮ−１４、ＭＮ−１５、Ｍｕ−９、ＡＦＰ−３１、Ｌ１９、Ｇ２５０、Ｊ５９１、ＣＣ４９、Ｌ２４３、ＰＡＭ４およびＩｍｍｕ３１から成る群より選択される、請求項８に記載の複合体。
【手続補正書】
【提出日】平成23年2月3日(2011.2.3)
【手続補正１】
【補正対象書類名】特許請求の範囲
【補正対象項目名】全文
【補正方法】変更
【補正の内容】
【特許請求の範囲】
【請求項１】
ＨＩＶ ｐ２４抗原の保存領域内に存在する、２個〜７個の隣接するアミノ酸または非連続的なアミノ酸からなるエピトープに対して、特異的に結合することが可能なバイオ技術適応高親和性ポリペプチドの製造方法であって、
ａ）ｐ２４抗原の公知のアミノ酸配列のコンピューター解析によって、ｐ２４抗原内の少なくとも２個のアミノ酸からなる保存領域を選択し、
ｂ）ｐ２４抗原から選択した保存領域に基づいて、ペプチドを調製し、
ｃ）結合タンパク質を発現する粒子のライブラリーに、該ペプチドを接触させ、
ｄ）該ペプチドに対する結合活性を有する結合タンパク質を発現する粒子を単離し、
ｅ）上記工程ｄ）で単離した粒子から得た核酸または該粒子から誘導した核酸に変異を導入して変異粒子を得、
ｆ）上記工程ｅ）で得た変異粒子に基づいて、結合タンパク質を発現する粒子のライブラリーを作製し、
ｇ）上記工程ｆ）で得たライブラリーに、ペプチドまたはその断片を接触させ、
ｈ）該ペプチドまたはその断片に対する結合活性が改良された結合タンパク質を発現する粒子を単離し、
ｉ）上記工程ｅ）〜ｈ）を一回または二回以上繰り返し、そして
ｊ）上記工程ｉ）で得た粒子から、ＨＩＶ ｐ２４抗原の保存領域内に存在する、少なくとも２個または３個の隣接するアミノ酸または非連続的なアミノ酸からなるエピトープに対して、特異的に結合することが可能なバイオ技術適応高親和性ポリペプチドを得る
ことを包含する方法。
【請求項２】
該ライブラリーが、一本鎖抗体のファージライブラリーであることを特徴とする、請求項１に記載の方法。
【請求項３】
該バイオ技術適応高親和性ポリペプチドがエピトープに対して示す親和性が、１０-12Ｍ〜１０-15Ｍであることを特徴とする、請求項１に記載の方法。
【請求項４】
該ペプチドが、以下のペプチドからなる群より選ばれることを特徴とする、請求項１に記載の方法。
ＲＴＬＮＡＷＶＫ（配列番号１）、
ＶＧＧＨＱＡＡＭＱ（配列番号２）、
ＷＤＲＬＨＰ（配列番号３）、
ＰＲＧＳＤＩＡＧ（配列番号４）、
ＧＬＮＫＩＶ（配列番号５）、
ＶＲＭＹＳＰ（配列番号６）、
ＱＧＰＫＥ（配列番号７）、
ＦＲＤＹＶＤＲＦ（配列番号８）、
ＬＲＡＥＱ（配列番号９）、
ＷＭＴＥＴＬＬ（配列番号１０）、
ＷＭＴＤＴＬＬ（配列番号１１）、
ＱＮＡＮＰＤＣ（配列番号１２）、
ＥＥＭＭＴＡＣ（配列番号１３）、および
ＡＣＱＧＶＧＧＰ（配列番号１４）。
【請求項５】
エピトープが、２個〜３個、２個〜４個、２個〜５個、２個〜６個、３個〜４個、３個〜５個、３個〜６個または３個〜７個の隣接するアミノ酸残基または非連続的なアミノ酸残基からなることを特徴とする、請求項４に記載の方法。
【請求項６】
エピトープが、２個、３個、４個、５個または６個の隣接するアミノ酸残基または非連続的なアミノ酸残基からなることを特徴とする、請求項４に記載の方法。
【手続補正書】
【提出日】平成23年1月21日(2011.1.21)
【手続補正１】
【補正対象書類名】特許請求の範囲
【補正対象項目名】全文
【補正方法】変更
【補正の内容】
【特許請求の範囲】
【請求項１】
下記の式を有する化合物、またはその製薬上許容し得る塩：
【化１】
2010516817.tif 000001
(式中、Yは、‐CO2(CH2)2OHまたは下記：
【化２】
2010516817.tif 000002
であり；
Aは、‐(CH2)6‐、シス‐CH2CH=CH‐(CH2)3‐、または‐CH2C≡C‐(CH2)3‐であり、これらにおいて、１個または２個の炭素原子はSまたはOによって置換し得；或いは、Aは、‐(CH2)m‐Ar‐(CH2)o‐であり、Arはインターアリーレンまたはヘテロインターアリーレンであり、mとoの和は1、2、3または4であり、1個の‐CH2‐はSまたはOによって置換し得、1個の‐CH2‐CH2‐は‐CH=CH‐または‐C≡C‐によって置換し得；そして、
Bは、アリールまたはヘテロアリールである)。
【請求項２】
下記の式を有する請求項１の化合物、またはその製薬上許容し得る塩：
【化３】
2010516817.tif 000003
(式中、Gは、1,3‐インターアリールもしくはインターヘテロアリール、または‐(CH2)3‐である)。
【請求項３】
Bが、フェニルである、請求項１または２記載の化合物。
【請求項４】
Bが、アルキルフェニルである、請求項１〜３のいずれか１項記載の化合物。
【請求項５】
Bが、p‐t‐ブチルフェニルである請求項４記載の化合物。
【請求項６】
Bが、ヒドロキシアルキルフェニルである、請求項３記載の化合物。
【請求項７】
下記の式を有する請求項１の化合物、またはその製薬上許容し得る塩：
【化４】
2010516817.tif 000004
(式中、R7は、3、4、5、6または7個の炭素原子を有する線状アルキルである。
【請求項８】
下記の式を有する請求項１の化合物、またはその製薬上許容し得る塩：
【化５】
2010516817.tif 000005
(式中、点線は、結合の存在または不存在を示し；
Rは、1〜12個の炭素原子を有するヒドロカルビルまたはヒドロキシヒドロカルビルであり；
Xは、CH2、OまたはSであり；そして、
Gは、1,3‐インターアリールもしくはインターヘテロアリール、または‐(CH2)3‐である)。
【請求項９】
下記の式を有する請求項８の化合物、またはその製薬上許容し得る塩：
【化６】
2010516817.tif 000006
(式中、X1およびX2は、個々に、CH、OまたはSであり；そして、
R7は、3〜7個の炭素原子を含む線状アルキルである)。
【請求項１０】
下記の構造を含む請求項１または２の化合物、またはその製薬上許容し得る塩：
【化７】
2010516817.tif 000007
【請求項１１】
下記の式を有する請求項１０の化合物、またはその製薬上許容し得る塩：
【化８】
2010516817.tif 000008
(式中、X1およびX2は、個々に、CH、OまたはSである)。
【請求項１２】
Yが、‐CO2(CH2)2OHである、請求項１〜１１のいずれか１項記載の化合物。
【請求項１３】
Yが、下記である、請求項１〜１１のいずれか１項記載の化合物：
【化９】
2010516817.tif 000009
【請求項１４】
請求項１〜１３のいずれか１項記載の化合物を含み、眼科的に許容し得る液体である組成物。
【請求項１５】
請求項１〜１３のいずれか１項記載の化合物の、緑内障または高眼圧症の治療用医薬品の製造における使用。
【請求項１６】
請求項１〜１３のいずれか１項記載の化合物を含む緑内障または高眼圧症の治療用医薬組成物。
【請求項１７】
請求項１〜１３のいずれか１項記載の化合物を必要とする哺乳類に投与することを含む育毛または毛髪外観の改善方法。
【請求項１８】
下記式で表される請求項１記載の化合物。
【化１０】
2010516817.tif 000010
【手続補正書】
【提出日】平成23年1月27日(2011.1.27)
【手続補正１】
【補正対象書類名】特許請求の範囲
【補正対象項目名】全文
【補正方法】変更
【補正の内容】
【特許請求の範囲】
【請求項１】
ａ）少なくとも、
１）少なくとも１種類のＣ２〜Ｃ４アルキレンオキシドと、少なくとも１種類のオルトシクロヘキサンジアミン開始剤化合物との反応生成物であり、３．３から４．０の平均官能価、および７５から５６０のヒドロキシル当量を有する、アミン開始ポリオール、または該アミン開始ポリオールと少なくとも１種類のその他のポリオールとの混合物であって、前記アミン開始ポリオールを少なくとも５重量％含有することを条件とする混合物、
２）少なくとも１種類の発泡剤、および
３）少なくとも１種類のポリイソシアネート
を含有する反応混合物を形成するステップと、
ｂ）前記反応混合物を、前記反応混合物が膨張し、硬化して硬質ポリウレタンフォームを形成するような条件下に置くステップと
を含む、硬質ポリウレタンフォームを調製するための方法。
【請求項２】
前記反応混合物が水を含む、請求項１に記載の方法。
【請求項３】
オルトシクロヘキサンジアミン化合物が、下記の構造によって表される、請求項１または２に記載の方法。
【化４】
2010516818.tif 000001
（式中、各Ｒは独立に、水素またはＣ１〜Ｃ４アルキルである）
【請求項４】
前記オルトシクロヘキサンジアミン化合物が、前記オルトシクロヘキサンジアミン化合物の重量に対して９０から１００％のｔｒａｎｓ−オルトシクロヘキサンジアミン異性体および０から１０％のｃｉｓ−オルトシクロヘキサンジアミン異性体を含有する、請求項３に記載の方法。
【請求項５】
前記オルトシクロヘキサンジアミン化合物が、前記シクロヘキサンジアミン化合物の総重量に対して９８から１００％のｔｒａｎｓ−１，２−シクロヘキサジアミンおよび０から２％ｃｉｓ−１，２−シクロヘキサンジアミンを含有する、請求項４に記載の方法。
【手続補正書】
【提出日】平成23年1月28日(2011.1.28)
【手続補正１】
【補正対象書類名】特許請求の範囲
【補正対象項目名】全文
【補正方法】変更
【補正の内容】
【特許請求の範囲】
【請求項１】
眼疾患または眼異常を処置するための医薬組成物であって、
処理キトサン、修飾キトサン、修飾処理キトサン、またはその混合物を含むキトサン組成物（ここに、処理キトサン、修飾キトサン、修飾処理キトサン、またはその混合物は、対応する無処理キトサンと比較して、化学的、物理的および/または性能的特性または特徴に変化を示す）と、
プロスタグランジン、プロスタミドおよびその混合物、非ステロイド性抗炎症薬（NSAID）およびNSAIDの混合物、ならびにコルチコステロイドおよびコルチコステロイドの混合物からなる群より選択される治療剤
とを含み、
処置有効量の治療剤がある期間にわたって放出されるようにキトサン組成物を適合させた、医薬組成物。
【請求項２】
さらに保存剤を含む、請求項1に記載の組成物。
【請求項３】
保存剤が、組成物の約0.00001％〜約0.05％または約0.1％(w/v)の濃度範囲にある、塩化ベンザルコニウム、クロルヘキシジン、PHMB（ポリヘキサメチレンビグアニド）、メチルパラベン、エチルパラベン、ヘキセチジン、亜塩素酸塩成分、他の眼科的に許容できる保存剤およびその混合物からなる群より選択される、請求項2に記載の組成物。
【請求項４】
さらに賦形剤を含む、請求項1に記載の組成物。
【請求項５】
賦形剤が眼科適合性賦形剤である、請求項4に記載の組成物。
【請求項６】
さらに緩衝剤を含む、請求項1に記載の組成物。
【請求項７】
緩衝剤が、酢酸緩衝剤、クエン酸緩衝剤、リン酸緩衝剤、ホウ酸緩衝剤およびその混合物からなる群より選択される、請求項6に記載の組成物。
【請求項８】
さらにビヒクルを含む、請求項1に記載の組成物。
【請求項９】
ビヒクルが眼科適合性ビヒクルである、請求項8に記載の組成物。
【請求項１０】
治療剤がキトサン上の部位に共有結合される、請求項1に記載の組成物。
【請求項１１】
治療剤がリンカーを介してキトサン上の部位に共有結合される、請求項1に記載の組成物。
【請求項１２】
請求項1〜11のいずれかに記載の医薬組成物を製造するためのプロセスであって、
処理キトサン、修飾キトサン、修飾処理キトサン、またはその混合物を含むキトサン組成物と、処置有効量の医薬剤とを接触させて、実質的に均一な組成物を形成させること
を含み、
各キトサンが、対応する無処理キトサンと比較して、一つ以上の化学的、物理的および/または性能的特性または特徴に変化を示し、
各修飾キトサンが、キトサンと単一官能基または複数官能基との間に共有結合連結を形成させるか、キトサンと単一の原子もしくは分子剤または複数の原子および/もしくは分子剤との間に非共有結合会合を形成させるか、あるいはキトサンと単一の原子もしくは分子剤または複数の原子および/もしくは分子剤との間に混合物を形成させて、キトサンを、単一官能基または複数官能基の共有結合付着、単一の原子もしくは分子剤または複数の原子および/もしくは分子剤との非共有結合会合、および/または単一の原子もしくは分子剤または複数の原子および/もしくは分子剤の同時添加で変化させることによって、調製され、
医薬剤が、プロスタグランジン、プロスタミドおよびその混合物、非ステロイド性抗炎症薬（NSAID）およびNSAIDの混合物、ならびにコルチコステロイドおよびコルチコステロイドの混合物からなる群より選択される、プロセス。
【請求項１３】
請求項1〜11のいずれかに記載の医薬組成物を製造するためのプロセスであって、
処理キトサン、修飾キトサン、修飾処理キトサン、またはその混合物を含むキトサン組成物と、処置有効量の医薬剤とを、医薬剤がキトサン上の部位に共有結合されるような条件下で接触させることを含み、
各キトサンが、対応する無処理キトサンと比較して、一つ以上の化学的、物理的および/または性能的特性または特徴に変化を示し、
各修飾キトサンが、キトサンと単一官能基または複数官能基との間に共有結合連結を形成させるか、キトサンと単一の原子もしくは分子剤または複数の原子および/もしくは分子剤との間に非共有結合会合を形成させるか、あるいはキトサンと単一の原子もしくは分子剤または複数の原子および/もしくは分子剤との間に混合物を形成させて、キトサンを、単一官能基または複数官能基の共有結合付着、単一の原子もしくは分子剤または複数の原子および/もしくは分子剤との非共有結合会合、および/または単一の原子もしくは分子剤または複数の原子および/もしくは分子剤の同時添加で変化させることによって、調製され、
医薬剤が、プロスタグランジン、プロスタミドおよびその混合物、非ステロイド性抗炎症薬（NSAID）およびNSAIDの混合物、ならびにコルチコステロイドおよびコルチコステロイドの混合物からなる群より選択される、プロセス。
【請求項１４】
請求項12または13に記載のプロセスによって製造される医薬組成物。
【請求項１５】
眼疾患または眼異常を処置するための医薬組成物であって、
処理キトサン、修飾キトサン、処理修飾キトサン、またはその混合物と、
プロスタグランジン、プロスタミド、非ステロイド性抗炎症薬（NSAID）、およびコルチコステロイド、ならびにその混合物、誘導体、塩およびエステルからなる群より選択される治療剤
とを含む、医薬組成物。
【手続補正書】
【提出日】平成23年1月18日(2011.1.18)
【手続補正１】
【補正対象書類名】明細書
【補正対象項目名】発明の名称
【補正方法】変更
【補正の内容】
【発明の名称】硬化性接着剤組成物
【手続補正２】
【補正対象書類名】特許請求の範囲
【補正対象項目名】全文
【補正方法】変更
【補正の内容】
【特許請求の範囲】
【請求項１】
（ｉ）１種以上のエポキシ樹脂、
（ｉｉ）１種類以上の強化剤、
（ｉｉｉ）前記エポキシ樹脂を架橋することが可能な１種以上の硬化剤；
（ｉｖ）１種以上のアセトアセトキシ官能化化合物を含む、硬化性接着剤組成物。
【請求項２】
前記アセトアセトキシ官能化化合物が、一般式
【化１】
2010516844.tif 000001
を有し、式中、
Ｘは１〜１０であり；
Ｙは、Ｏ、Ｓ又はＮＨを表し；
Ｒは、ポリヒドロキシアルキル、ポリヒドロキシアリール又はポリヒドロキシアルキルアリール、ポリオキシアルキル、ポリオキシアリール及びポリオキシアルキルアリール；ポリオキシポリヒドロキシアルキル、−アリール、−アルキルアリール、又はポリヒドロキシポリエステルアルキル、−アリール又は−アルキルアリールからなる残基の群から選択される残基を表し、式中、Ｒは炭素原子を介してＹに連結されて、かつＸが１以外の場合、Ｒは、Ｘに相当する数の炭素原子を介して、Ｙに連結されており；及び
Ｒ’は、Ｃ１〜Ｃ１２の直鎖若しくは分枝鎖又は環状アルキルを表す、
請求項１に記載の組成物。
【請求項３】
次式：
【化２】
2010516844.tif 000002
式中、
Ｒ１は、Ｈ又はアルキルであり；
Ｒ２は、−ＣＨＮＲ５Ｒ６であり；
Ｒ３及びＲ４は、互いに独立して、存在しても又は存在しなくてもよく、存在する場合は、Ｒ３及びＲ４は−ＣＨＮＲ５Ｒ６であり；
Ｒ５及びＲ６は、互いに独立して、アルキルの構造を有する二次硬化剤を更に含む、請求項１又は２に記載の組成物。
【手続補正書】
【提出日】平成23年1月21日(2011.1.21)
【手続補正１】
【補正対象書類名】特許請求の範囲
【補正対象項目名】全文
【補正方法】変更
【補正の内容】
【特許請求の範囲】
【請求項１】
結合した少なくとも１種のポリマー基を有する顔料を含む、改質顔料を生成させる方法、
該方法は、
ｉ）任意の順序で、ポリマー、顔料、カップリング剤、および任意選択的活性剤を混合すること、
該カップリング剤は、第１の反応基および第２の反応基を含み、該第１の反応基は、
該顔料と反応することができ、そして、該第２の反応基は、該ポリマーと反応するこ
とができる、および
ｉｉ）該カップリング剤と、該ポリマーおよび該顔料とを反応させて、該改質顔料を生成させること、
のステップを含んでなる。
【請求項２】
ステップｉ）において、該ポリマーと該顔料とを混合して混合物を生成させ、そして該カップリング剤が、該混合物に加えられる、請求項１の方法。
【請求項３】
ステップｉ）において、該ポリマー、該顔料、および溶媒を、任意の順序で、混合して混合物を生成させ、そして該カップリング剤が、該混合物に加えられる、請求項１の方法。
【請求項４】
該方法が、ステップｉｉ）の前に、該混合物を活性化させるステップをさらに含む、請求項２の方法。
【請求項５】
該溶媒の該沸点より下の温度に、該混合物を加熱することによって、ステップｉｉ）の前に、該混合物を活性化するステップをさらに含む、請求項３の方法。
【請求項６】
ステップｉ）において、該ポリマーが、溶融してポリマー溶融物を生成し、そして該顔料および該カップリング剤が、任意の順序で、該ポリマー溶融物に加えられる、請求項１の方法。
【請求項７】
結合した少なくとも１種のポリマー基を有する顔料を含む、改質顔料を生成させる方法、
該方法は、
ｉ）酸で官能化されたポリマーおよび任意選択的可塑剤を含むポリマー溶融物を生成させること；
ｉｉ）任意の順序で、高強度混合条件下、顔料、任意選択的活性剤、および該ポリマー溶融物を混合すること；および、
ｉｉｉ）該酸で官能化されたポリマーと、該顔料とを反応させて、該改質顔料を生成させること、
該酸で官能化されたポリマーは、該顔料と反応できる少なくとも１種の反応基を含む、
のステップを含んで成る。
【請求項８】
該方法が、ステップｉｉｉ）の前に、該ポリマー溶融物を活性化させるステップをさらに含む、請求項７の方法。
【請求項９】
改質顔料が、少なくとも２０％のポリマー結合レベルおよび１５０ｎｍ以下の平均粒径を有する、結合した少なくとも１種のポリマー基を有する顔料を含む、改質顔料。
【請求項１０】
改質顔料が、１５０ｎｍ以下の平均粒径、および５．０×１０８以下の大きい粒子の数を有する、結合した少なくとも１種のポリマー基を有する顔料を含む、改質顔料。
【請求項１１】
該改質顔料が、少なくとも２０％のポリマー結合レベルおよび１５０ｎｍ以下の平均粒径を有する、ａ）液体ビヒクルおよびｂ）結合した少なくとも１種のポリマー基を有する顔料を含む、改質顔料を含むインクジェットインク組成物。
【請求項１２】
改質顔料が、１５０ｎｍ以下の平均粒径および５．０×１０８以下大きい粒子の数を有する、ａ）液体ビヒクルおよびｂ）結合したすくなくとも１種のポリマー基を有する顔料を含む、改質顔料を含むインクジェットインク組成物。
【手続補正書】
【提出日】平成23年1月14日(2011.1.14)
【手続補正１】
【補正対象書類名】明細書
【補正対象項目名】０００８
【補正方法】変更
【補正の内容】
【０００８】
本発明の目的のための分散体は、分散媒Ｂ）中に微粉化された粒子からなる物質の組成物である。これらの混合物の特徴は、相分離が起こらないことであり、その代わり、室温で、該粒子は分散媒に安定的に分散される。本発明における粒子は固体からなり、該分散媒は室温で固体また液体であり得る。
【手続補正２】
【補正対象書類名】明細書
【補正対象項目名】００２３
【補正方法】変更
【補正の内容】
【００２３】
上記のポリイソシアネートに加えて、ウレットジオン、イソシアヌレート、ウレタン、アロファネート、ビウレット、イミノオキサジアジンジオンおよび／またはオキサジアジントリオン構造を有する高分子量誘導体を用いることも可能である。このような誘導体は、従来技術に記載の変性反応によってモノマージイソシアネートからそれ自体既知の方法において知られている。
【手続補正３】
【補正対象書類名】明細書
【補正対象項目名】００４２
【補正方法】変更
【補正の内容】
【００４２】
溶媒、例えばＮ−メチルピロリドン、Ｎ−エチルピロリドン、メトキシプロピルアセテート、ジメチルスルホキシド、メトキシプロピルアセテート、アセトンおよび／またはメチルエチルケトンなどを、分散前に親水性化ポリイソシアネートｉ）に添加することも可能である。反応および分散の完了後、揮発性溶媒、例えばアセトンおよび／またはメチルエチルケトンなどを蒸留によって除去することが可能である。溶媒なしでまたはアセトンまたはメチルエチルケトンを用いて調製することが好適であり、特に溶媒なしで調製することが好適である。
【手続補正４】
【補正対象書類名】明細書
【補正対象項目名】００５５
【補正方法】変更
【補正の内容】
【００５５】
分散媒Ｂ）として、好適にはポリエーテルポリオールを用いることも可能である。適当なものの例は、カチオン開環によるテトラヒドロフランの重合によって得られるポリウレタン化学においてそれ自体既知のポリテトラメチレングリコールポリエーテルである。同様に適当なポリエーテル−ポリオールは、スチレンオキシド、エチレンオキシド、プロピレンオキシド、ブチレンオキシドおよび／またはエピクロロヒドリンと二官能性または多官能性のスターター分子との従来法による付加物である。用いることができる適当なスターター分子として、先行技術から既知の全ての化合物、例えば水、ブチルジグリコール、グリセロール、ジエチレングリコール、トリメチロールプロパン、プロピレングリコール、エチレンジアミン、トリエタノールアミン、１，４−ブタンジオールが挙げられる。エチレンオキシド、プロピレンオキシドおよびブチレンオキシドから構成されるポリエーテルポリオールを用いることは特に好適である。
【手続補正５】
【補正対象書類名】明細書
【補正対象項目名】００５７
【補正方法】変更
【補正の内容】
【００５７】
ナノウレア水性分散体Ａ’）および分散媒Ｂ）は、いずれかの順序により混合することができ、一成分を連続的に、部分的にまたは全て一度に他の成分に添加することができる。ある好適な変法においては、分散媒Ｂ）およびナノウレア水性分散体Ａ’）はまず、互いに完全に混合し、次いで水を混合物から除去する。
【手続補正書】
【提出日】平成23年1月24日(2011.1.24)
【手続補正１】
【補正対象書類名】特許請求の範囲
【補正対象項目名】全文
【補正方法】変更
【補正の内容】
【特許請求の範囲】
【請求項１】
カチオン性シロキサンプレポリマーの調製方法であって、該方法が、
ビス−ハロゲン化ポリシロキサンおよびアルキル官能化されたヒドロキシ２級アミンを提供し、
第１の極性溶媒中で、前記ビス−ハロゲン化ポリシロキサンを前記アルキル官能化されたヒドロキシ２級アミンと反応させて第１の反応生成物を提供し、
メタクリル化剤および酸スカベンジャーを提供し、
前記酸スカベンジャーの存在下、第２の極性溶媒中で、前記第１の反応生成物を前記メタクリル化剤と反応させて第２の反応生成物を提供し、
４級化剤を提供し、
第３の極性溶媒中で、前記第２の反応生成物を前記４級化剤と反応させて、カチオン性シロキサンプレポリマーを得る、
各工程を有してなる方法。
【請求項２】
前記ビス−ハロゲン化ポリシロキサンが、ビス−ブロモブチルポリジメチルシロキサン、ビス−ブロモプロピルポリジメチルシロキサン、ビス−クロロプロピルポリジメチルシロキサン、およびビス−３−クロロブチルポリジメチルシロキサンからなる群より選択されることを特徴とする請求項１記載の方法。
【請求項３】
前記アルキル官能化されたヒドロキシ２級アミンが、２−（メチルアミノ）エタノール、２−（エチルアミノ）エタノール、２−（プロピルアミノ）エタノールおよび２−（ブチルアミノ）エタノールからなる群より選択されることを特徴とする請求項１記載の方法。
【請求項４】
前記メタクリル化剤が、メタクリロイルクロライド、ジメタクリル酸無水物、２−メチルプロペン酸２−イソシアナトエチル、イタコン酸、およびイタコン酸無水物からなる群より選択されることを特徴とする請求項１記載の方法。
【請求項５】
前記４級化剤が、ヨードメタン、ヨードエタン、１−ブロモブタン、および塩化メチルからなる群より選択されることを特徴とする請求項１記載の方法。
【請求項６】
前記カチオン性シロキサンプレポリマーを単離する工程をさらに含むことを特徴とする請求項１記載の方法。
【請求項７】
下記式：
【化１】
2010516873.tif 000001
を有するモノマー。
【請求項８】
少なくとも１種類の請求項７記載のモノマーと、少なくとも１種類の第２のモノマーとを含む、重合化された生体適合材料の調製に有用なモノマー混合物。
【請求項９】
第２のモノマーに加えて、疎水性モノマーおよび親水性モノマーをさらに含むことを特徴とする請求項８記載のモノマー混合物。
【請求項１０】
前記第２のモノマーが、不飽和カルボン酸、アクリル酸で置換されたアルコール、ビニルラクタム、アクリルアミド、メタクリレート、親水性の炭酸ビニル、疎水性のカルバミン酸ビニルモノマー、親水性のオキサゾロンモノマー、およびそれらの混合物からなる群より選択されることを特徴とする請求項８記載のモノマー混合物。
【請求項１１】
前記第２のモノマーが、メタクリル酸、アクリル酸、メタクリル酸２−ヒドロキシエチル、アクリル酸２−ヒドロキシエチル、Ｎ−ビニルピロリドン、Ｎ−ビニルカプロラクトン、メタクリルアミド、Ｎ，Ｎ−ジメチルアクリルアミド、ジメタクリル酸エチレングリコール、メチルメタクリレート、メタクリル酸アリル、メタクリルオキシプロピル・トリス（トリメチルシロキシ）シランおよびそれらの混合物からなる群より選択されることを特徴とする請求項８記載のモノマー混合物。
【請求項１２】
請求項８記載のモノマー混合物の重合化生成物を含む機器。
【請求項１３】
前記機器がコンタクトレンズであることを特徴とする請求項１２記載の機器。
【請求項１４】
前記コンタクトレンズが、ガス透過性のハードコンタクトレンズであることを特徴とする請求項１３記載の機器。
【請求項１５】
前記コンタクトレンズがソフトコンタクトレンズであることを特徴とする請求項１３記載の機器。
【請求項１６】
前記コンタクトレンズがハイドロゲル・コンタクトレンズであることを特徴とする請求項１３記載の機器。
【請求項１７】
前記機器が眼内レンズであることを特徴とする請求項１２記載の機器。
【請求項１８】
前記眼内レンズが有水晶体眼内レンズであることを特徴とする請求項１７記載の機器。
【請求項１９】
前記眼内レンズが無水晶体眼内レンズであることを特徴とする請求項１７記載の機器。
【請求項２０】
前記機器が角膜インプラントであることを特徴とする請求項１２記載の機器。
【請求項２１】
前記機器が、心臓弁、眼内レンズ、フィルム、外科用機器、管代替物、子宮内器具、膜、横隔膜、外科的移植物、血管、人工尿管、人工乳房組織、腎臓透析機械用の膜、人工心肺用の膜、カテーテル、マウス・ガード、義歯裏装材、眼科用機器、およびコンタクトレンズからなる群より選択されることを特徴とする請求項１２記載の機器。
【請求項２２】
機器の調製方法であって、
請求項７記載のモノマーおよび少なくとも第２のモノマーを含むモノマー混合物を提供し、
前記モノマー混合物を重合条件に供して重合化された機器を提供し、
前記重合化された機器を抽出し、
前記重合化された機器を包装および殺菌する、
各工程を有してなる方法。
【請求項２３】
前記抽出工程が、難燃性溶媒を用いて行われることを特徴とする請求項２２記載の方法。
【請求項２４】
前記抽出工程が水を使用して行われることを特徴とする請求項２２記載の方法。
【手続補正書】
【提出日】平成23年1月20日(2011.1.20)
【手続補正１】
【補正対象書類名】特許請求の範囲
【補正対象項目名】全文
【補正方法】変更
【補正の内容】
【特許請求の範囲】
【請求項１】
木材のアルカリパルプ化で発生する黒液からトール油セッケンを回収する方法であって、
当該方法が、クラフトプロセスの後に行われる黒液回収プロセスにおいて、Ｒが８乃至２２の炭素原子の直鎖型又は分岐鎖型アルキルであり、ｘが１乃至２０であり、ｙが２０乃至８０であり、ＭがＨ又はアルカリ金属である、式ＲＯ［（ＣＨ２ＣＨＣＨ３Ｏ）ｘ（ＣＨ２ＣＨ２Ｏ）ｙ］Ｍのアルキルアルコールアルコキシレート及びその組合せからなる群から選択される分離助剤を、前記黒液に添加するステップと、
トール油セッケンを前記黒液から分離するステップと、
を含むことを特徴とする方法。
【請求項２】
木材のアルカリパルプ化で発生する黒液からトール油脂肪酸を生成する方法であって、
当該方法が、クラフトプロセスの後に行われる黒液回収プロセスにおいて、Ｒが８乃至２２の炭素原子の直鎖型又は分岐鎖型アルキルであり、ｘが１乃至２０であり、ｙが２０乃至８０であり、ＭがＨ又はアルカリ金属である、式ＲＯ［（ＣＨ２ＣＨＣＨ３Ｏ）ｘ（ＣＨ２ＣＨ２Ｏ）ｙ］Ｍのアルキルアルコールアルコキシレート及びその組合せからなる群から選択される分離助剤を、前記黒液に添加するステップと、
前記黒液からトール油セッケンを分離するステップと、
前記トール油セッケンをトール油脂肪酸に精製するステップと、
を含むことを特徴とする方法。
【請求項３】
トール油脂肪酸を生成する方法であって、
当該方法が、水酸化ナトリウムと硫化ナトリウムとを含む蒸解液で木材チップを加熱して、木材パルプを含む黒液を形成するステップと、
黒液から木材パルプを分離するステップと、
クラフトプロセスの後に行われる黒液回収プロセスにおいて、Ｒが８乃至２２の炭素原子の直鎖型又は分岐鎖型アルキルであり、ｘが１乃至２０であり、ｙが２０乃至８０であり、ＭがＨ又はアルカリ金属である、式ＲＯ［（ＣＨ２ＣＨＣＨ３Ｏ）ｘ（ＣＨ２ＣＨ２Ｏ）ｙ］Ｍのアルキルアルコールアルコキシレート及びその組合せからなる群から選択される分離助剤を、前記黒液に添加するステップと、
トール油セッケンを黒液から分離するステップと、
前記トール油セッケンをトール油脂肪酸に精製するステップと、
を含むことを特徴とする方法。
【手続補正書】
【提出日】平成22年12月27日(2010.12.27)
【手続補正１】
【補正対象書類名】特許請求の範囲
【補正対象項目名】全文
【補正方法】変更
【補正の内容】
【特許請求の範囲】
【請求項１】
潤滑組成物によってドライブライン装置を潤滑する方法であって、該組成物は、以下：
（ａ）約１ｗｔ％から約９９ｗｔ％のヒドロカルビルでキャップされたポリオキシアルキレンポリオールであって、前記ポリオキシアルキレンポリオールの前記ヒドロカルビルでキャップされた基は、ウンデカノール、ドデカノール、トリデカノール、テトラデカノール、ペンタデカノール、ヘキサデカノール、ヘプタデカノール、オクタデカノール、ノナデカノール、およびエイコサノールからなる群から選択される直鎖一価アルコールの混合物の残基を含むヒドロカルビルでキャップされたポリオキシアルキレンポリオール；および
（ｂ）リンを含有する酸、塩もしくはエステル、またはそれらの混合物
を含むものである、方法。
【請求項２】
前記直鎖一価アルコールが、Ｃ１２−１５アルコールの混合物である、請求項１に記載の方法。
【請求項３】
前記ヒドロカルビルでキャップされたポリオキシアルキレンポリオールは、単一キャップされた、ヒドロカルビルでキャップされたポリオキシアルキレンポリオール、２個キャップされた、ヒドロカルビルでキャップされたポリオキシアルキレンポリオール、またはそれらの混合物である、請求項１に記載の方法。
【請求項４】
前記ヒドロカルビルでキャップされたポリオキシアルキレンポリオールは、アルキレンオキシドのホモポリマーに由来する、請求項１に記載の方法。
【請求項５】
前記ヒドロカルビルでキャップされたポリオキシアルキレンポリオールは、２つまたはそれ以上のアルキレンオキシドのコポリマーに由来する、請求項１に記載の方法。
【請求項６】
前記リンを含有する酸、塩またはエステルは、前記潤滑組成物の約０．０１ｗｔ％から約２０ｗｔ％、または約０．０５ｗｔ％から約１０ｗｔ％、または約０．１ｗｔ％から約５ｗｔ％の範囲で前記潤滑組成物中に存在する、請求項１に記載の方法。
【請求項７】
リンを含有しない極圧剤またはその混合物をさらに含む、請求項１に記載の方法。
【請求項８】
前記リンを含有しない極圧剤は、ホウ素含有化合物、硫黄含有化合物、およびそれらの混合物からなる群より選択される、請求項７に記載の方法。
【請求項９】
前記リンを含有しない極圧剤は、前記潤滑組成物の約０．０１ｗｔ％から約２０ｗｔ％、または約０．０５ｗｔ％から約１０ｗｔ％、または約０．１ｗｔ％から約８ｗｔ％にて存在する、請求項７または８に記載の方法。
【請求項１０】
前記ドライブライン装置は少なくとも、車軸、ギア、ギアボックスおよび変速機からなる群より選択される、請求項１に記載の方法。
【請求項１１】
前記変速機は少なくとも、手動変速機、連続可変変速機、無限可変変速機、トロイダル変速機、連続スリップトルク変換クラッチ、自動変速機、有段自動変速機、トラクションドライブ変速機、およびデュアルクラッチ変速機からなる群より選択される、請求項１０に記載の方法。
【手続補正２】
【補正対象書類名】明細書
【補正対象項目名】００２２
【補正方法】変更
【補正の内容】
【００２２】
実施形態の１つにおいて、本発明は、本明細書に開示されるヒドロカルビルでキャップされたポリオキシアルキレンポリオールの潤滑粘度の油としての使用を提供する。また、本発明は以下を提供する：
（項目１）
約１ｗｔ％から約９９ｗｔ％のヒドロカルビルでキャップされたポリオキシアルキレンポリオールを含む潤滑組成物であって、前記ポリオキシアルキレンポリオールの前記ヒドロカルビルでキャップされた基は、約６個またはそれ以上の炭素原子を含有する直鎖または分岐鎖の一価アルコールの残基を含む、潤滑組成物。
（項目２）
前記ヒドロカルビルでキャップされたポリオキシアルキレンポリオールは、単一キャップされた、ヒドロカルビルでキャップされたポリオキシアルキレンポリオール、２個キャップされた、ヒドロカルビルでキャップされたポリオキシアルキレンポリオール、またはそれらの混合物である、項目１に記載の潤滑組成物。
（項目３）
前記ポリオキシアルキレンポリオールの前記ヒドロカルビルでキャップされた基は、約６個またはそれ以上の炭素原子を含有する分岐鎖一価アルコールの残基を含む、項目１に記載の潤滑組成物。
（項目４）
前記ポリオキシアルキレンポリオールの前記ヒドロカルビルでキャップされた基は、約１１個またはそれ以上の炭素原子を含有する直鎖一価アルコールの残基を含む、項目１に記載の潤滑組成物。
（項目５）
前記ヒドロカルビルでキャップされたポリオキシアルキレンポリオールは、アルキレンオキシドのホモポリマーに由来する、項目１に記載の潤滑組成物。
（項目６）
前記ヒドロカルビルでキャップされたポリオキシアルキレンポリオールは、２つまたはそれ以上のアルキレンオキシドのコポリマーに由来する、項目１に記載の潤滑組成物。
（項目７）
リンを含有する酸、塩もしくはエステル、またはそれらの混合物をさらに含む、項目１に記載の潤滑組成物。
（項目８）
前記リンを含有する酸、塩またはエステルは、前記潤滑組成物の約０．０１ｗｔ％から約２０ｗｔ％、または約０．０５ｗｔ％から約１０ｗｔ％、または約０．１ｗｔ％から約５ｗｔ％の範囲で前記潤滑組成物中に存在する、項目７に記載の潤滑組成物。
（項目９）
リンを含有しない極圧剤またはその混合物をさらに含む、項目１に記載の潤滑組成物。
（項目１０）
前記リンを含有しない極圧剤は、ホウ素含有化合物、硫黄含有化合物、およびそれらの混合物からなる群より選択される、項目９に記載の潤滑組成物。
（項目１１）
前記リンを含有しない極圧剤は、前記潤滑組成物の約０．０１ｗｔ％から約２０ｗｔ％、または約０．０５ｗｔ％から約１０ｗｔ％、または約０．１ｗｔ％から約８ｗｔ％にて存在する、項目９に記載の潤滑組成物。
（項目１２）
項目１から１１のいずれか１項に記載の潤滑組成物によって機械装置を潤滑する方法。
（項目１３）
前記機械装置はドライブライン装置である、項目１２に記載の方法。
（項目１４）
前記ドライブライン装置は少なくとも、車軸、ギア、ギアボックスおよび変速機からなる群より選択される、項目１３に記載の方法。（項目１５）
前記変速機は少なくとも、手動変速機、連続可変変速機、無限可変変速機、トロイダル変速機、連続スリップトルク変換クラッチ、自動変速機、有段自動変速機、トラクションドライブ変速機、およびデュアルクラッチ変速機からなる群より選択される、項目１４に記載の方法。
【手続補正書】
【提出日】平成23年1月6日(2011.1.6)
【手続補正１】
【補正対象書類名】明細書
【補正対象項目名】０００２
【補正方法】変更
【補正の内容】
【０００２】
創傷の医療処置に用いるヒドロゲルは、特に、創傷を湿潤状態に保つことが向上した創傷治癒を生じさせる場合、適切な創傷接触材料の形態で用いられる（湿潤創傷処置）。ヒドロゲルは通常、ポリ（メタ）アクリレート、ポリビニルピロリドンまたはポリビニルアルコールをベースとする合成ポリマーを用いて形成される。概して、このようなヒドロゲルは生体組織との優れた相溶性に注目すべきである。
【手続補正２】
【補正対象書類名】明細書
【補正対象項目名】００１１
【補正方法】変更
【補正の内容】
【００１１】
かかる状況下、必要に応じて、単に少量の水を用いて形成することができ、従って、創傷との接触の際、創傷液をさらに取り込むことができるポリウレタンヒドロゲルの必要性が存在する。当然、ポリウレタンヒドロゲルは継続して（乾燥）創傷に水を付与することができるであろう。放射線硬化の使用（例えばＵＶ硬化）は費用がかかり、また不便を伴うので避けられるべきである。全ての液体先駆物質ならびにポリウレタンヒドロゲルそれ自体は良好な生体適合性を有し、有機溶媒の使用は避けられるべきである。
【手続補正３】
【補正対象書類名】明細書
【補正対象項目名】００４７
【補正方法】変更
【補正の内容】
【００４７】
増粘剤、例えばポリビニルアルコールなど、ポリサッカリドのメチルエーテル、ヒドロキシエチルエーテル、ヒドロキシプロピルエーテルまたはカルボキシメチルエーテル、例えばセルロースまたはデンプンなど、ポリビニルピロリドン、ポリアクリル酸、メチルビニルエーテル−ＭＡコポリマー、無機増粘剤、例えばシリカ、アルミノケイ酸塩または水酸化アルミニウムなど、ポリペプチド、ポリサッカリド、例えばアラビアゴムまたは寒天など、キトサン、ヒアルロン酸またはポリウレタン増粘剤を添加することも可能であり、その場合、増粘剤は全体としてまたは部分的に還元剤として働いてもよい。増粘剤は、親水性ウレタンアクリレートの水溶液に予め組み込むか、または反応直前に単に添加することができる。
【手続補正書】
【提出日】平成22年12月16日(2010.12.16)
【手続補正１】
【補正対象書類名】特許請求の範囲
【補正対象項目名】全文
【補正方法】変更
【補正の内容】
【特許請求の範囲】
【請求項１】
無色ＩＲ吸収剤としての式Ｉおよび／または式II：
【化１６】
2010516823.tif 000001
（式中、
Ｍは、Ｎｉ、Ｐｄ、Ｐｔ、Ａｕ、Ｉｒ、Ｆｅ、Ｚｎ、Ｗ、Ｃｕ、Ｍｏ、Ｉｎ、Ｍｎ、Ｃｏ、Ｍｇ、Ｖ、ＣｒまたはＴｉであり、
Ｘ１、Ｘ２およびＸ３は、それぞれ他から独立して、硫黄または酸素であり、
Ｒ１、Ｒ２、Ｒ３、Ｒ４、Ｒ５およびＲ６は、それぞれ他から独立して、水素、ＮＲ７Ｒ８、非置換もしくは置換Ｃ１〜Ｃ１８アルキル、アルキレン鎖が酸素で中断されたＣ１〜Ｃ１８アルキル、非置換もしくは置換Ｃ１〜Ｃ１８アルケニル、非置換もしくは置換アリール、非置換もしくは置換アリールアルキル、または非置換もしくは置換へテロアリールアルキルであり、Ｒ７およびＲ８は、それぞれ他から独立して、非置換もしくは置換Ｃ１〜Ｃ１８アルキル、非置換もしくは置換アリール、非置換もしくは置換アリールアルキル、または非置換もしくは置換へテロアリールアルキルである）で示される化合物の使用であって、式ＩおよびIIで示される化合物に場合により更なるＩＲ吸収剤が添加されている使用。
【請求項２】
Ｍが、Ｎｉ、ＰｄまたはＰｔである、無色ＩＲ吸収剤としての請求項１記載の式Ｉで示される化合物の使用。
【請求項３】
Ｍが、Ｎｉ、Ｐｄ、Ｐｔであり、
Ｘ１、Ｘ２およびＸ３が、それぞれ他から独立して、硫黄または酸素であり、
Ｒ１、Ｒ２、Ｒ３、Ｒ４が、それぞれ他から独立して、−Ｎ（Ｃ１〜Ｃ６アルキル）２、非置換Ｃ１〜Ｃ８アルキル、−（ＣＨ２）ｎ−［Ｏ−（ＣＨ２）ｍ］ｋ−ＯＣＨ３（ｎ＝２〜６、ｍ＝２または３、ｋ＝１〜６）、ビニルまたはアリル、−（ＣＨ２）ｑ−フェニル（ｑ＝１〜６）である、無色ＩＲ吸収剤としての請求項１記載の式Ｉで示される化合物の使用。
【請求項４】
無色ＩＲ吸収剤としての請求項１記載の式Ｉａ、Ｉｂ、Ｉｃ、Ｉｄ、Ｉｅ、Ｉｆ、ＩｇまたはＩｈ：
【化１７】
2010516823.tif 000002
で示される化合物の使用。
【請求項５】
セキュリティー印刷、目に見えないがＩＲ読取が可能なバーコード、プラスチックのレーザ溶接、ＩＲラジエータを用いた表面コーティングの硬化、プリントの乾燥および硬化、紙表面のトナー固定、レーザマーキングおよびプラスチック製プレフォームの加熱のための、請求項１〜４のいずれか１項記載の式ＩおよびIIで示される化合物の使用。
【請求項６】
プラスチック材料のレーザ溶接のための、請求項５記載の式ＩおよびIIで示される化合物の使用。
【請求項７】
セキュリティー印刷およびバーコードの印刷における、請求項５記載の式ＩおよびIIで示される化合物の使用。
【請求項８】
ポリメチンの群からの更なるＩＲ吸収剤との混合物における、請求項１記載の式ＩおよびIIで示される化合物の使用。
【請求項９】
式Ｉおよび／またはII：
【化１８】
2010516823.tif 000003
（式中、
Ｍは、Ｎｉ、Ｐｄ、Ｐｔ、Ａｕ、Ｉｒ、Ｆｅ、Ｚｎ、Ｗ、Ｃｕ、Ｍｏ、Ｉｎ、Ｍｎ、Ｃｏ、Ｍｇ、Ｖ、ＣｒまたはＴｉであり、
Ｘ１は、酸素であり、
Ｘ２およびＸ３は、それぞれ他から独立して、硫黄または酸素であり、
Ｒ１、Ｒ２、Ｒ３、Ｒ４、Ｒ５およびＲ６は、それぞれ他から独立して、水素、ＮＲ７Ｒ８、非置換もしくは置換Ｃ１〜Ｃ１８アルキル、アルキレン鎖が酸素で中断されたＣ１〜Ｃ１８アルキル、非置換もしくは置換Ｃ１〜Ｃ１８アルケニル、非置換もしくは置換アリール、非置換もしくは置換アリールアルキル、または非置換もしくは置換へテロアリールアルキルであり、Ｒ７およびＲ８が、それぞれ他から独立して、非置換もしくは置換Ｃ１〜Ｃ１８アルキル、非置換もしくは置換アリール、非置換もしくは置換アリールアルキル、または非置換もしくは置換へテロアリールアルキルである。）
で示される化合物。
【請求項１０】
式Ｉおよび／またはII：
【化１９】
2010516823.tif 000004
（式中、
Ｍは、Ｎｉ、Ｐｄ、Ｐｔ、Ａｕ、Ｉｒ、Ｆｅ、Ｚｎ、Ｗ、Ｃｕ、Ｍｏ、Ｉｎ、Ｍｎ、Ｃｏ、Ｍｇ、Ｖ、ＣｒまたはＴｉであり、
Ｘ１、Ｘ２およびＸ３は、それぞれ他から独立して、硫黄または酸素であり、
Ｒ１、Ｒ２、Ｒ３、Ｒ４、Ｒ５およびＲ６は、ＮＲ７Ｒ８（式中、Ｒ７およびＲ８は、それぞれ他から独立して、非置換もしくは置換Ｃ１〜Ｃ１８アルキル、非置換もしくは置換アリール、非置換もしくは置換アリールアルキル、または非置換もしくは置換へテロアリールアルキルである）である）
で示される化合物。
【請求項１１】
セキュリティー印刷、バーコード、プラスチックのレーザ溶接、ＩＲラジエータを用いた表面コーティングの硬化、プリントの乾燥および硬化、紙またはプラスチック表面のトナー固定、プラスチック、紙および他の天然または合成材料のレーザマーキング、プラスチック製プレフォームの加熱、ならびにプラズマディスプレイパネル（ＰＤＰ）用の光学フィルタのための、請求項９および１０記載の化合物の使用。